(57)【要約】【課題】簡易な構成のままでデバイスの設定環境を把握する。【解決手段】デバイス情報またはパラメータ情報を設定ツールから受信するたびに、デバイス情報をデバイス情報格納部１５１に書き込み、パラメータ情報をパラメータ情報格納部１５２に書き込むとともに、デバイス情報またはパラメータ情報の送信元である設定ツールに対応する設定ツール情報、設定ツールの現在時刻および設定ツールの現在位置を設定環境情報格納部１５３に書き込む情報書込部１１を備える。【選択図】図２
2015176360.tif 000002
【特許請求の範囲】
【請求項１】
設備内に配置されるデバイスであって、
前記デバイスに特有の情報であるデバイス情報を格納するデバイス情報格納部と、
前記デバイスの動作を定めるパラメータに関するパラメータ情報を格納するパラメータ情報格納部と、
前記デバイス情報および前記パラメータ情報の一部または全部を設定した設定ツールを特定する設定ツール情報、前記設定したときの時刻を示す時刻情報、および前記設定したときの位置を示す位置情報を、設定環境情報として格納する設定環境情報格納部と、
前記デバイス情報または前記パラメータ情報を前記設定ツールから受信するたびに、受信した前記デバイス情報を前記デバイス情報格納部に書き込む、または受信した前記パラメータ情報を前記パラメータ情報格納部に書き込むとともに、前記デバイス情報または前記パラメータ情報の送信元である前記設定ツールに対応する前記設定ツール情報、前記設定ツールの現在時刻および前記設定ツールの現在位置を設定環境情報格納部に書き込む情報書込部と、
を備えることを特徴とするデバイス。
【請求項２】
前記デバイスの稼動状態に関する稼動状態情報を格納する稼動状態情報格納部と、
前記稼動状態情報格納部に格納されている前記稼動状態情報に基づいて、前記デバイスが点検時期にあるか否かを判定する点検判定部と、
前記点検判定部により前記デバイスが点検時期にあると判定された場合に、点検要求を外部に出力する点検要求出力部と、
をさらに備えることを特徴とする請求項１記載のデバイス。
【請求項３】
前記設定環境情報格納部は、前記設定環境情報のうち、前記デバイスの出荷時に設定された前記設定環境情報を、他の前記設定環境情報と区別して格納する、ことを特徴とする請求項１または２記載のデバイス。
【請求項４】
前記設定環境情報格納部は、前記設定環境情報の履歴を格納する、ことを特徴とする請求項１〜３のいずれか１項に記載のデバイス。
【請求項５】
前記設定環境情報格納部は、前記設定環境情報の履歴のうち、同じ前記設定ツールに対応する前記設定環境情報については、最新の前記設定環境情報のみを格納する、ことを特徴とする請求項４記載のデバイス。
【請求項６】
前記デバイスは、ＨＡＲＴ（Highway Addressable Remote Transducer）通信機能を搭載することを特徴とする請求項１〜５のいずれか１項に記載のデバイス。
【請求項７】
請求項１〜６のいずれか１項に記載のデバイスと、
前記デバイス情報および前記パラメータ情報を前記デバイスに設定する前記設定ツールと、
前記デバイス情報、前記パラメータ情報および前記設定環境情報を、前記デバイスから収集し、前記デバイスごとに管理する管理装置と、
を備えることを特徴とするデバイス管理システム。
【発明の詳細な説明】
【技術分野】
【０００１】
本発明は、デバイスおよびデバイス管理システムに関する。
【背景技術】
【０００２】
生産プロセスを管理する工場では、プラント内に多数のデバイス（例えばセンサ機器やバルブポジショナ等のデバイス）を配置してプロセスを管理している。これらのデバイスには、機能の追加や不適合への対応などの改善が施された最新バージョンのファームウェアが搭載される。下記特許文献１には、デバイスのマスター部とスレーブ部とに搭載されるファームウェアのバージョンのうち、一方が最新バージョンではない場合に、自己のまたは相手側の最新バージョンのファームウェアに基づいてファームウェアを更新するデバイスが開示されている。
【先行技術文献】
【特許文献】
【０００３】
【特許文献１】特開２０１１−１５８９２８号公報
【発明の概要】
【発明が解決しようとする課題】
【０００４】
上記特許文献１のデバイスでは、ファームウェアの最新バージョンを管理しているが、そのファームウェアでデバイスにセットアップやチューニング（以下、「デバイス設定」ともいう。）を行ったときの環境（以下、「設定環境」ともいう。）についてまでは管理していない。
【０００５】
一般に、デバイスは大量に製造され、各地に分散して設置されるため、デバイスにトラブル等が発生して保守作業等を行う際に、そのデバイスがいつどこから納入され、いつどこで調整されたのか等の設定環境を特定することができれば、保守作業時に有用な情報として利用できる。
【０００６】
しかしながら、プラント内に多数配置されるデバイスはできる限り安価に製造することが要求されるため、デバイス自体の機能としては不要となる時計やＧＰＳ（Global Positioning System）等の付加的な機能を搭載することは現実的に困難である。
【０００７】
本発明は、上述した従来技術による問題点を解消するためになされたものであり、簡易な構成のままで設定環境を把握することができるデバイスおよびデバイス管理システムを提供することを目的とする。
【課題を解決するための手段】
【０００８】
本発明に係るデバイスは、設備内に配置されるデバイスであって、前記デバイスに特有の情報であるデバイス情報を格納するデバイス情報格納部と、前記デバイスの動作を定めるパラメータに関するパラメータ情報を格納するパラメータ情報格納部と、前記デバイス情報および前記パラメータ情報の一部または全部を設定した設定ツールを特定する設定ツール情報、前記設定したときの時刻を示す時刻情報、および前記設定したときの位置を示す位置情報を、設定環境情報として格納する設定環境情報格納部と、前記デバイス情報または前記パラメータ情報を前記設定ツールから受信するたびに、受信した前記デバイス情報を前記デバイス情報格納部に書き込む、または受信した前記パラメータ情報を前記パラメータ情報格納部に書き込むとともに、前記デバイス情報または前記パラメータ情報の送信元である前記設定ツールに対応する前記設定ツール情報、前記設定ツールの現在時刻および前記設定ツールの現在位置を設定環境情報格納部に書き込む情報書込部と、を備える。
【０００９】
上記デバイスの稼動状態に関する稼動状態情報を格納する稼動状態情報格納部と、前記稼動状態情報格納部に格納されている前記稼動状態情報に基づいて、前記デバイスが点検時期にあるか否かを判定する点検判定部と、前記点検判定部により前記デバイスが点検時期にあると判定された場合に、点検要求を外部に出力する点検要求出力部と、をさらに備える、こととしてもよい。
【００１０】
上記設定環境情報格納部は、前記設定環境情報のうち、前記デバイスの出荷時に設定された前記設定環境情報を、他の前記設定環境情報と区別して格納する、こととしてもよい。
【００１１】
上記設定環境情報格納部は、前記設定環境情報の履歴を格納する、こととしてもよい。
【００１２】
上記設定環境情報格納部は、前記設定環境情報の履歴のうち、同じ前記設定ツールに対応する前記設定環境情報については、最新の前記設定環境情報のみを格納する、こととしてもよい。
【００１３】
本発明に係るデバイス管理システムは、上記デバイスと、前記デバイス情報および前記パラメータ情報を前記デバイスに設定する前記設定ツールと、前記デバイス情報、前記パラメータ情報および前記設定環境情報を、前記デバイスから収集し、前記デバイスごとに管理する管理装置と、を備える。
【発明の効果】
【００１４】
本発明によれば、簡易な構成のままで設定環境を把握することができるデバイスおよびデバイス管理システムを提供することができる。
【図面の簡単な説明】
【００１５】
【図１】実施形態におけるデバイス管理システムの構成を例示する図である。
【図２】図１に示すデバイスの機能構成を例示する図である。
【図３】図２に示すデバイス情報格納部のデータ構成を例示する図である。
【図４】図２に示すパラメータ情報格納部のデータ構成を例示する図である。
【図５】図２に示す設定環境情報格納部のデータ構成を例示する図である。
【図６】図２に示す稼動状態情報格納部のデータ構成を例示する図である。
【図７】デバイス管理装置の情報格納部のデータ構成を例示する図である。
【図８】新たなデバイスをデバイス管理システムに登録する際の動作を説明するためのシーケンスチャートである。
【図９】デバイス１０が稼動しているときの動作を説明するためのシーケンスチャートである。
【図１０】デバイスを点検する際の動作を説明するためのシーケンスチャートである。
【図１１】デバイス管理装置の情報格納部のデータ構成を例示する図である。
【発明を実施するための形態】
【００１６】
以下、図面を参照して本発明に係る実施形態について説明する。ただし、以下に説明する実施形態は、あくまでも例示であり、以下に明示しない種々の変形や技術の適用を排除するものではない。すなわち、本発明は、その趣旨を逸脱しない範囲で種々変形して実施できる。
【００１７】
図１は、本発明の実施形態におけるデバイスを含むデバイス管理システムの概略構成を例示する図である。図１に示すように、デバイス管理システム１は、デバイス管理装置３０と、入出力（ＩＯ）ユニット２０と、デバイス１０と、設定ツール４０とを備える。
【００１８】
デバイス管理装置３０は、ＩＯユニット２０を介してデバイス１０と通信する。デバイス管理装置３０は、例示的に、デバイス１０の設定状態およびデバイス１０でのプロセスの実行状況等をチェックする機能や、デバイス１０の保守／修理等を含む点検に必要な時期等を診断する機能を有する。
【００１９】
デバイス１０は、プラント等の設備内に配置される機器であり、例えば、ＨＡＲＴ（Highway Addressable Remote Transducer）通信機能を搭載する機器や、ファウンデーションフィールドバス（Foundation（登録商標） Fieldbus; ＦＦ）技術に対応する機器を用いることができる。また、複数のＨＡＲＴ通信機能を搭載する機器とＩＯユニット２０とを仲介する調節計を、デバイス１０に含めることとしてもよい。
【００２０】
デバイス１０としては、例示的に、流量や圧力、温度等を検出する各種センサ機器、流量制御弁や圧力制御弁等の各種バルブを制御するバルブポジショナ、ポンプやファン等を動作させる各種アクチュエータ等が該当する。
【００２１】
設定ツール４０は、デバイス１０に対して各種セットアップやチューニングを行う端末であり、後述するデバイス情報およびパラメータ情報をデバイス１０に設定する。
【００２２】
図２に示すように、デバイス１０は、機能的には、例えば、情報書込部１１と、情報送信部１２と、点検判定部１３と、点検要求出力部１４とを有する。情報格納部１５は、上記各部が取り扱うデバイス情報、パラメータ情報、設定環境情報および稼動状態情報を格納するデータベースである。このデータベースは、例えば、デバイス１０の不揮発性メモリに記憶させることができる。
【００２３】
図３を参照して、デバイス情報格納部１５１のデータ構成について説明する。デバイス情報格納部１５１は、自デバイスに特有の情報を格納するデータベースであり、データ項目として、例えば、形番項目、Ｓ／Ｗ Ｖｅｒ項目、Ｈ／Ｗ Ｖｅｒ項目、シリアルＮｏ項目、社名項目および通信規格 Ｖｅｒ項目を有する。形番項目は、デバイス１０の形式を特定する識別情報を格納する。Ｓ／Ｗ Ｖｅｒ項目は、デバイス１０にインストールされているソフトウェアのバージョンを格納する。Ｈ／Ｗ Ｖｅｒ項目は、デバイス１０を構成するハードウェアのバージョンを格納する。シリアルＮｏ項目は、デバイス１０を特定するシリアルＮｏを格納する。社名項目は、デバイス１０の製造会社名を格納する。通信規格 Ｖｅｒ項目は、デバイス１０に適用される通信規格のバージョンを格納する。
【００２４】
図４を参照して、パラメータ情報格納部１５２のデータ構成について説明する。パラメータ情報格納部１５２は、自デバイスの動作を定めるパラメータに関する情報を格納するデータベースであり、データ項目として、例えば、パラメータ名項目、設定内容項目、設定値項目および備考項目を有する。パラメータ名項目は、パラメータの名称を格納する。設定内容項目は、パラメータの設定内容を特定する情報を格納する。設定値項目は、パラメータの設定値を格納するが、最初にパラメータの値が設定されるまでは初期値を格納する。備考項目は、パラメータに関するメモ等を格納する。
【００２５】
ここで、パラメータとしては、例示的に、入力信号の範囲を選択するパラメータ、制御機能を有するデバイスにおけるＰＩＤパラメータ、異常時の動作を規定するためのパラメータ、通信速度を切り替えるためのパラメータ、デバイスの表示部に表示する内容を選択するパラメータ等がある。
【００２６】
図５を参照して、設定環境情報格納部１５３のデータ構成について説明する。設定環境情報格納部１５３は、デバイス情報およびパラメータ情報の一部または全部を更新したときの設定環境に関する情報を格納するデータベースであり、データ項目として、例えば、形番項目、Ｓ／Ｗ Ｖｅｒ項目、シリアルＮｏ項目、設定時刻項目、設定位置項目、位置情報形式項目、社名項目および適合ＯＳ項目を有する。形番項目は、設定ツール４０の形式を特定する識別情報を格納する。Ｓ／Ｗ Ｖｅｒ項目は、設定ツール４０にインストールされているソフトウェアのバージョンを格納する。シリアルＮｏ項目は、設定ツール４０を特定するシリアルＮｏを格納する。
【００２７】
設定時刻項目は、デバイス情報およびパラメータ情報の一部または全部を更新したときの時刻情報を格納する。設定位置項目は、デバイス情報およびパラメータ情報の一部または全部を更新したときの位置（場所）情報を格納する。位置情報形式項目は、位置情報を格納するファイルのフォーマット形式を格納する。社名項目は、設定ツール４０の製作会社名を格納する。適合ＯＳ項目は、設定ツール４０に適合するＯＳの種類を格納する。
【００２８】
なお、設定環境情報格納部１５３は、設定環境情報のうち、デバイス１０の出荷時に設定された設定環境情報を、他の設定環境情報と区別して格納することとしてもよい。これは、例えばトラブル対応の際に、工場出荷時にラインで使用した設定ツールを特定して原因を追究することがあり、この場合にシリアルＮｏだけでは、出荷時に使用した設定ツールまで把握することができないことを考慮したものである。出荷時に設定された設定環境情報を判別可能に格納しておくことで、トラブル対応の際に有効となる。
【００２９】
また、設定環境情報格納部１５３は、デバイス情報およびパラメータ情報の一部または全部が更新されるごとに、設定環境情報を追加することで、設定環境情報の履歴を管理することとしてもよい。この場合、設定環境情報格納部１５３は、設定環境情報の履歴のうち、同じ設定ツール４０に対応する設定環境情報については、最新の設定環境情報のみを格納することとしてもよい。
【００３０】
図６を参照して、稼動状態情報格納部１５４のデータ構成について説明する。稼動状態情報格納部１５４は、デバイス１０の稼動状態に関する情報を格納するデータベースであり、データ項目として、例えば、点検後稼動累積時間項目、総稼動累積時間項目、起動回数項目、最高周囲温度項目、最低周囲温度項目、リレー変化回数項目およびアラーム通知回数項目を有する。点検後稼動累積時間項目は、前回点検した後からの稼動累積時間を格納する。点検後稼動累積時間は、点検を行うごとにリセットされる。総稼動累積時間項目は、デバイス１０の総稼動累積時間を格納する。
【００３１】
起動回数項目は、デバイス１０を起動した回数を格納する。最高周囲温度項目は、デバイス１０が許容する周囲温度の上限値を格納する。最低周囲温度項目は、デバイス１０が許容する周囲温度の下限値を格納する。リレー変化回数項目は、デバイス１０のリレーが変化した回数を格納する。アラーム通知回数項目は、デバイス１０がアラームを通知した回数を格納する。
【００３２】
図２に示す情報書込部１１は、設定ツール４０で設定された一まとまりの設定情報を受信するたびに、その設定情報を情報格納部１５に書き込む。以下に、具体的に説明する。
【００３３】
情報書込部１１は、設定情報にデバイス情報が含まれている場合には、そのデバイス情報をデバイス情報格納部１５１に書き込む。情報書込部１１は、設定情報にパラメータ情報が含まれている場合には、そのパラメータ情報をパラメータ情報格納部１５２に書き込む。情報書込部１１は、設定情報の送信元である設定ツール４０に対応する設定ツール情報、該設定ツール４０の現在時刻および該設定ツール４０の現在位置を設定環境情報格納部１５３に書き込む。
【００３４】
設定ツール４０の現在時刻としては、例えば、設定ツール４０に搭載されている時計の時刻データを用いることができる。設定ツール４０の現在位置としては、例えば、設定ツール４０がＧＰＳ（Global Positioning System）に対応している場合には、位置を示すＧＰＸ（GPS Exchange Format）形式またはＫＭＬ（Keyhole Markup Language）形式等のＸＭＬ（Extensible Markup Language）形式のテキストファイルを用いることができる。設定ツール４０がＧＰＳに対応していない場合には、住所等を入力することとしてもよいし、ＧＰＳに対応している他の機器から現在位置を転送してもらうこととしてもよい。
【００３５】
情報送信部１２は、デバイス情報、パラメータ情報および／または設定環境情報を送信するように要求するための送信要求を設定ツール４０またはデバイス管理装置３０から受信した場合に、デバイス情報格納部１５１に格納されているデバイス情報、パラメータ情報格納部１５２に格納されているパラメータ情報および／または設定環境情報格納部１５３に格納されている設定環境情報を、設定ツール４０またはデバイス管理装置３０に送信する。
【００３６】
情報送信部１２は、稼動状態情報格納部１５４に格納されている稼動状態情報を、定期的にデバイス管理装置３０に送信する。
【００３７】
点検判定部１３は、稼動状態情報格納部１５４に格納されている稼動状態情報に基づいて、デバイス１０が点検時期にあるか否かを判定する。例示的に、点検判定部１３は、稼動状態情報に含まれる点検後稼動累積時間が、点検を必要とする時間以上である場合に、デバイス１０が点検時期にあると判定する。一方、点検判定部１３は、点検後稼動累積時間が点検を必要とする時間未満である場合には、デバイス１０が点検時期にないと判定する。
【００３８】
点検要求出力部１４は、点検判定部１３によりデバイス１０が点検時期にあると判定された場合に、点検要求をデバイス管理装置３０に送信する。なお、点検要求をデバイス管理装置３０に送信することに替えて（または加えて）、点検要求出力部１４は、点検が必要である旨のメッセージをデバイス１０のディスプレイに出力し、表示させることとしてもよい。
【００３９】
図１に示すデバイス管理装置３０は、デバイス情報、パラメータ情報、設定環境情報および移動状態情報を、デバイスＮｏごとに格納する情報格納部を備え、デバイスの設定状態や稼動状態を管理する。図７を参照して、情報格納部のデータ構成について説明する。情報格納部は、パラメータ情報に含まれるデバイスＮｏに対応付けて、デバイス情報、設定環境情報、移動状態情報およびパラメータ情報を格納するデータベースである。
【００４０】
なお、図７では、図面を見やすくするためにパラメータ情報の表示を省略し、デバイス情報、設定環境情報および移動状態情報の一部の情報のみを表示している。デバイス管理装置３０を操作する管理者は、情報格納部に格納されている各種情報から所望する情報を任意に選択（検索）してモニターに表示させることができる。
【００４１】
次に、実施形態におけるデバイス管理システム１の動作について説明する。
【００４２】
まず、図８を参照して、新たなデバイス１０をデバイス管理システム１に登録する際の動作を説明する。この動作では、例示的に、図７に示すデバイスＮｏが“＃０１”のデバイスを登録する際の動作について説明する。つまり、デバイスの形番が“ＤＥＶ１００”でありソフトウェアのバージョンが“２．０”であるデバイス１０に対して、設定ツールの形番が“ＴＯＯＬ００１”でありソフトウェアのバージョンが“１．２”である設定ツール４０を接続し、この設定ツール４０からデバイス１０にパラメータ情報を設定してデバイス管理システム１に登録する際の動作について説明する。
【００４３】
最初に、設定ツール４０は、デバイス１０に接続し（ステップＳ１０１）、そのデバイス１０に対し、デバイス情報を送信するように要求するための送信要求を送信する（ステップＳ１０２）。
【００４４】
続いて、デバイス１０の情報送信部１２は、デバイス情報格納部１５１に格納されているデバイス情報を設定ツール４０に送信する（ステップＳ１０３）。
【００４５】
続いて、設定ツール４０は、ユーザの操作指示に従いながら、バージョン“１．２”に対応するパラメータの設定処理を実行する（ステップＳ１０４）。このパラメータの設定処理で、デバイス１０のデバイスＮｏが“＃０１”と設定される。
【００４６】
続いて、設定ツール４０は、上記ステップＳ１０４で設定したパラメータに対応するパラメータ情報、設定ツール４０に対応する設定ツール情報、設定ツール４０の現在時刻に対応する時刻情報および設定ツール４０の現在位置に対応する位置情報を含む設定情報をデバイス１０に送信する（ステップＳ１０５）。
【００４７】
続いて、デバイス１０の情報書込部１１は、設定ツール４０から受信した設定情報に含まれるパラメータ情報をパラメータ情報格納部１５２に格納する（ステップＳ１０６）とともに、設定情報に含まれる設定ツール情報、時刻情報および位置情報を設定環境情報格納部１５３に格納する（ステップＳ１０７）。
【００４８】
続いて、設定ツール４０は、デバイス１０との接続を切断する（ステップＳ１０８）。
【００４９】
その後、デバイス１０がデバイス管理システム１に組み込まれ、ＩＯユニット２０と接続する（ステップＳ１０９）。
【００５０】
続いて、デバイス１０の情報送信部１２は、デバイス情報格納部１５１に格納されているデバイス情報、パラメータ情報格納部１５２に格納されているパラメータ情報格納部１５２および設定環境情報格納部１５３に格納されている設定環境情報を、デバイス管理装置３０に送信する（ステップＳ１１０）。
【００５１】
続いて、デバイス管理装置３０は、デバイス１０から受信したデバイス情報、パラメータ情報および設定環境情報を情報格納部に格納する（ステップＳ１１１）。これにより、図７に例示するように、デバイスＮｏ“＃０１”に対応付けて、デバイス１０のデバイス情報および設定環境情報等が、デバイス管理装置３０の情報格納部に格納される。
【００５２】
次に、図９を参照して、デバイス１０が稼動しているときの動作を説明する。
【００５３】
デバイス１０は、稼働状態に応じて、稼動状態情報格納部１５４に格納されている稼動状態情報を更新する（ステップＳ２０１）。稼動状態情報を更新するタイミングは、稼働状態が変化したときであってもよいし、例えば、“４時間ごと”等のように任意に設定可能な所定間隔ごとであってもよい。
【００５４】
続いて、デバイス１０の点検判定部１３は、稼動状態情報格納部１５４に格納されている点検後の稼動累積時間に基づいて、デバイス１０が点検時期にあるか否かを判定する（ステップＳ２０２）。この判定がＮＯである場合（ステップＳ２０２；ＮＯ）には、処理を上述したステップＳ２０１に移行する。
【００５５】
一方、上記ステップＳ２０２の判定において、デバイス１０が点検時期にあると判定された場合（ステップＳ２０２；ＹＥＳ）に、デバイス１０の点検要求出力部１４は、点検要求をデバイス管理装置３０に送信する（ステップＳ２０３）。
【００５６】
続いて、デバイス管理装置３０は、デバイス１０の点検を促すメッセージをモニターに表示する（ステップＳ２０４）。
【００５７】
次に、図１０を参照して、デバイス１０を点検（調整）する際の動作を説明する。この動作では、例示的に、図７に示すデバイスＮｏが“＃０１”のデバイスを点検する際の動作について説明する。また、この点検時に使用する設定ツール４０は、形番が“ＴＯＯＬ５００”であり、ソフトウェアのバージョンが“５．０”であることとする。
【００５８】
最初に、設定ツール４０は、点検するデバイス１０に接続し（ステップＳ３０１）、ユーザの操作指示に従って、バージョン“５．０”に対応するパラメータの設定処理を実行する（ステップＳ３０２）。
【００５９】
続いて、設定ツール４０は、上記ステップＳ３０２で設定されたパラメータに対応するパラメータ情報および設定ツール４０に対応する設定ツール情報、設定ツール４０の現在時刻および設定ツール４０の現在位置を含む設定情報をデバイス１０に送信する（ステップＳ３０３）。
【００６０】
続いて、デバイス１０の情報書込部１１は、設定ツール４０から受信したパラメータ情報をパラメータ情報格納部１５２に格納する（ステップＳ３０４）とともに、受信した設定ツール情報、現在時刻および現在位置を設定環境情報格納部１５３に格納する（ステップＳ３０５）。
【００６１】
続いて、デバイス１０の情報書込部１１は、稼動状態情報格納部１５４に格納されている稼動状態情報の例えば点検後稼動累積時間をリセットする（ステップＳ３０６）。
【００６２】
続いて、設定ツール４０は、デバイス１０との接続を切断する（ステップＳ３０７）。
【００６３】
その後、デバイス１０がデバイス管理システム１に組み込まれ、ＩＯユニット２０と接続する（ステップＳ３０８）。
【００６４】
続いて、デバイス１０の情報送信部１２は、パラメータ情報格納部１５２に格納されているパラメータ情報格納部１５２、設定環境情報格納部１５３に格納されている設定環境情報および稼動状態情報格納部１５４に格納されている稼動状態情報を、デバイス管理装置３０に送信する（ステップＳ３０９）。
【００６５】
続いて、デバイス管理装置３０は、デバイス１０から受信したパラメータ情報、設定環境情報および稼動状態情報を情報格納部に格納する（ステップＳ３１０）。
【００６６】
この結果、図７に例示するデバイスＮｏ“＃０１”に対応するおよび設定環境情報および稼動状態情報等が、図１１例示するデバイスＮｏ“＃０１”に対応する設定環境情報および稼動状態情報等に更新される。
【００６７】
上述してきたように、実施形態におけるデバイス１０によれば、情報書込部１１を有することで、デバイス情報またはパラメータ情報を設定ツール４０から受信するたびに、デバイス情報をデバイス情報格納部１５１に書き込み、パラメータ情報をパラメータ情報格納部１５２に書き込むとともに、デバイス情報またはパラメータ情報の送信元である設定ツール４０に対応する設定ツール情報、設定ツールの現在時刻および設定ツールの現在位置を設定環境情報格納部に書き込むことができる。
【００６８】
これにより、設定ツール４０でデバイス情報やパラメータ情報を設定するたびに、いつどこでどのようなツールで設定されたのかを含む設定環境情報をデバイス１０に書き込むことが可能となる。したがって、デバイス１０に時計やＧＰＳ等の付加的な機能を搭載することなく、デバイス設定したときの設定環境を把握することが可能となる。
【００６９】
それゆえ、実施形態におけるデバイス１０およびデバイス管理システム１によれば、簡易な構成のままで設定環境を把握することが可能となる。
【００７０】
[変形例]
なお、上述した実施形態では、新たなデバイス１０をデバイス管理システム１に登録する際に、デバイス１０に接続した設定ツールの設定ツール情報、時刻情報および位置情報を、デバイス１０の設定環境情報格納部１５３に格納しているが、設定環境情報格納部１５３に格納する設定環境情情報は、デバイス１０に接続した設定ツール４０の設定環境情情報であることには限定されない。
【００７１】
例えば、新たなデバイス１０を現場に設置する前に、その現場とは異なる場所でデバイス設定し、そのときの設定環境を設定環境情報格納部１５３に格納することとしてもよい。具体的に説明すると、例えば、現場とは異なる場所にあるデバイス１０に対して第１の設定ツール４０ａを接続しておき、設置予定の現場にある第２の設定ツール４０ｂから、その第２の設定ツール４０ｂにおける設定環境情報（設定ツール情報、時刻情報および位置情報）等を、例えば電子メール等で第１の設定ツール４０ａ宛に送信し、デバイス１０の設定環境情報格納部１５３等に格納させることとしてもよい。
【００７２】
この場合、第１の設定ツール４０ａの設定環境情報と、第２の設定ツール４０ｂの設定環境情情報とを判別できるように、設定環境情報格納部１５３に格納する。これにより、デバイス１０を現場に設置する前に、現場にある設定ツール４０を用いて現場の設定環境情報をデバイス１０に設定することが可能となる。
【００７３】
また、上述した実施形態では、デバイス１０を点検（調整）する際に、そのデバイス１０が点検対象のデバイスであるかどうかを確認していないが、確認することとしてもよい。この場合、例示的に、点検のためにデバイス１０に接続した設定ツール４０が、そのデバイス１０に格納されている設定環境情報の設定位置と、設定ツール４０がその時点で認識している現在位置とを照合し、双方の位置が異なる場合に、点検対象のデバイスではないと判定することができる。一方、双方の位置が同じであるとみなせる場合には、点検対象のデバイスであると判定することができる。
【符号の説明】
【００７４】
１…デバイス管理システム
１０…デバイス
１１…情報書込部
１２…情報送信部
１３…点検判定部
１４…点検要求出力部
１５…情報格納部
２０…ＩＯユニット
３０…デバイス管理装置
４０…設定ツール
１５１…デバイス情報格納部
１５２…パラメータ情報格納部
１５３…設定環境情報格納部
１５４…稼動状態情報格納部
【図１】
2015176360.tif 000003
【図２】
2015176360.tif 000004
【図３】
2015176360.tif 000005
【図４】
2015176360.tif 000006
【図５】
2015176360.tif 000007
【図６】
2015176360.tif 000008
【図８】
2015176360.tif 000009
【図１０】
2015176360.tif 000010
【図１１】
2015176360.tif 000011
【図７】
2015176360.tif 000012
【図９】
2015176360.tif 000013